(57)【要約】【課題】家族もしくは同居者が、それぞれの生活を自立させつつ、助け合い気遣いながら暮らすことのできる間取り構造の提供を目的とする。【解決手段】浴室５には２つの出入口５ａ，５ｂを設けて、２つの出入口５ａ，５ｂを介し浴室５内を通って往来できるように構成するとともに、一方の出入口５ａにはグルーミングユニット６を設置し、他方の出入口５ｂにはトイレユニット１１を設置し、グルーミングユニットの入口６ａ，浴室の出入口５ａ，５ｂ，トイレユニットの入口１１ａを通過して真っ直ぐひと続きに通じる通路および空間を形成した間取り構造。【選択図】図２
2006083699.tif 000002
【特許請求の範囲】
【請求項１】
浴室には２つの出入口を設けて、２つの出入口を介し浴室内を通って往来できるように構成するとともに、一方の出入口にはグルーミングユニットを設置し、他方の出入口にはトイレユニットを設置し、グルーミングユニットの入口，浴室の出入口，トイレユニットの入口を通過して真っ直ぐひと続きに通じる通路および空間を形成したことを特徴とする間取り構造。
【請求項２】
浴室には２つの出入口を設けて、２つの出入口を介し浴室内を通って往来できるように構成するとともに、一方の出入口には第１のグルーミングユニットを設置し、他方の出入口には第２のグルーミングユニットを設置し、第１のグルーミングユニットの入口，浴室の出入口，第２のグルーミングユニットの入口を通過して真っ直ぐひと続きに通じる通路および空間を形成したことを特徴とする間取り構造。
【発明の詳細な説明】
【技術分野】
【０００１】
この発明は、浴室を含む住居の間取り構造に関するものである。
【背景技術】
【０００２】
従来、特開平７−３３１８９７号公報，実開平４−１６２５１号公報に開示されているように、２世帯または別世帯が、１つの浴室を共用できるように構成した住居の間取り構造が存在する。
【特許文献１】特開平７−３３１８９７号公報
【特許文献２】実開平４−１６２５１号公報
【発明の開示】
【発明が解決しようとする課題】
【０００３】
しかし、従来の間取り構造では、互いのプライバシーを重視しすぎる構造となっており、例えば、老夫婦がそれぞれの生活を自立させつつ、しかも助け合い気遣いながら暮らすには、お互いの部屋が断絶されすぎて介護等には不便であるという問題点があった。
【課題を解決するための手段】
【０００４】
本発明は上記従来の問題点に鑑み案出したものであって、互いの部屋での生活を自立させつつ、互いに気遣いながら暮らすことができ、介護等にも便利である間取り構造を提供することを目的とし、その第１の要旨は、浴室には２つの出入口を設けて、２つの出入口を介し浴室内を通って往来できるように構成するとともに、一方の出入口にはグルーミングユニットを設置し、他方の出入口にはトイレユニットを設置し、グルーミングユニットの入口，浴室の出入口，トイレユニットの入口を通過して真っ直ぐひと続きに通じる通路および空間を形成したことである。
【０００５】
また、第２の要旨は、浴室には２つの出入口を設けて、２つの出入口を介し浴室内を通って往来できるように構成するとともに、一方の出入口には第１のグルーミングユニットを設置し、他方の出入口には第２のグルーミングユニットを設置し、第１のグルーミングユニットの入口，浴室の出入口，第２のグルーミングユニットの入口を通過して真っ直ぐひと続きに通じる通路および空間を形成したことである。
【発明の効果】
【０００６】
本発明の間取り構造は、浴室には２つの出入口を設けて、２つの出入口を介し浴室内を通って往来できるように構成するとともに、一方の出入口にはグルーミングユニットを設置し、他方の出入口にはトイレユニットを設置し、グルーミングユニットの入口，浴室の出入口，トイレユニットの入口を通過して真っ直ぐひと続きに通じる通路および空間を形成したことにより、グルーミングユニットあるいはトイレユニットの一方側から他方側を透視でき、浴室を通して双方側が視界的に融合して、ひと続きの広い空間が得られるものとなり、浴室内を通過して往来でき、介護にも便利なものとなる。
【０００７】
また、浴室には２つの出入口を設けて、２つの出入口を介し浴室内を通って往来できるように構成するとともに、一方の出入口には第１のグルーミングユニットを設置し、他方の出入口には第２のグルーミングユニットを設置し、第１のグルーミングユニットの入口，浴室の出入口，第２のグルーミングユニットの入口を通過して真っ直ぐひと続きに通じる通路および空間を形成したことにより、浴室内を通過して往来でき、介護にも便利なものとなる。また、一方側から他方側を透視でき、浴室を通して双方側が視界的に融合して、ひと続きの広い空間が得られるものとなる。
【実施例】
【０００８】
図１は、実施例の間取り構造を示す平面構成図であり、玄関１から奥南側のリビング９に通じる廊下２が形成され、廊下２の図示下方の玄関側には寝室３が設けられ、また奥南側には別の寝室４が設けられており、この寝室３と寝室４を仕切るように、中央部に浴室ユニット５が設けられて、浴室ユニット５の左右側のそれぞれの寝室３，４側には、グルーミングユニット６，６がそれぞれ設置されている。
また、廊下２の図示上方には、玄関側に部屋８が設けられ、南側の廊下２の突き当たりにはリビング９が設けられて、部屋８とリビング９間には、トイレユニット１１と、トイレユニット１１のリビング９側にキッチン１０が形成されている。
【０００９】
前記浴室ユニット５には、左右側にそれぞれ扉を備えた出入口５ａ，５ｂが形成されており、また、寝室３側に設置されるグルーミングユニット６内には、洗面器１６が設けられ、廊下２側から洗濯できるように洗濯機を設置できるスペース１７が設けられており、グルーミングユニット６の入口６ａは寝室３側に開放されており、寝室３内で暮らす人が、この入口６ａからグルーミングユニット６内に入り、洗面器１６で良好に洗面できるように構成されており、さらに、グルーミングユニット６内を通り、出入口５ａを開けて浴室ユニット５内に入り、浴槽１２で良好に入浴できるように構成されている。
【００１０】
また、南側の寝室４に設けられたグルーミングユニット６内には、洗面器１６のみが設けられており、寝室４内で暮らす人がグルーミングユニット６の入口６ａからグルーミングユニット６内に入り、洗面器１６で良好に洗面でき、さらに、グルーミングユニット６内を通り、出入口５ｂを開けて浴室ユニット５内に入り、浴槽１２で良好に入浴できるように構成されている。
【００１１】
なお、左右のグルーミングユニット６の入口６ａから浴室ユニット５の出入口５ａ，５ｂを通り、浴室ユニット５内を通過して、寝室３と寝室４間を往来できるように構成されている。
また、寝室３の廊下側には入口３ａが形成され、寝室４にも入口４ａが形成されており、この入口４ａから廊下２に出て、入口３ａを通り寝室３内に入ることができ、逆に、寝室３の入口３ａから廊下２に出て、入口４ａから寝室４内に往来できるように構成されている。
【００１２】
このような間取り構造では、例えば夫と妻が、寝室３と寝室４でそれぞれ別々に一人の時間を過ごすことができ、しかも、それぞれの部屋に設けられているグルーミングユニット６内で洗面，化粧等を行うことができ、個人専用の化粧品等も使い勝手良く収納でき、浴室ユニット５のみを共用として、プライバシーを良好に確保しながら自由にそれぞれの生活を行うことができるものである。
【００１３】
なお、浴室ユニット５の出入口５ａ，５ｂを開け、かつ、左右のグルーミングユニット６の入口６ａ，６ａを開けることにより、グルーミングユニットの入口６ａ、浴室の出入口５ａ，５ｂ、グルーミングユニットの入口６ａを通過して寝室３から寝室４へ真っ直ぐひと続きに通じる通路および空間が形成され、各入口５ａ，５ｂ，６ａ，６ａの扉を開けっぱなしにしておくことにより、寝室３と寝室４がつながり、寝室３と寝室４がひと続きの居室のように広い空間を形成させることができるものとなる。
【００１４】
図２は、図１の変形例を示す要部拡大平面構成図であり、図２では、例えば老夫婦のうちの一方に介護が必要となった場合に、良好に介護ができるように間取りを変更させたものであり、図２では、南側の寝室４内に、グルーミングユニット６に代えて、便器２４や手洗器２５を使用できるトイレユニット１１を設けたものであり、このトイレユニット１１の入口１１ａは寝室４側に開口して、大きく開く引戸が設けられており、車椅子でもトイレユニット１１内に入ることができ、しかも介護がし易いように設計されている。
【００１５】
なお、寝室３側には、洗面器１６と洗濯機を置くスペース１７を有するグルーミングユニット６が設置されており、このグルーミングユニット６は、内部に入って洗濯できるように構成したものである。
なお、中央に設置される浴室ユニット５は、図１のものと同様のものであり、左右側にそれぞれ出入口５ａ，５ｂが設けられており、それぞれの出入口５ａ，５ｂには引戸が設けられて、車椅子でも開閉が楽で、邪魔にならないように構成されている。
【００１６】
なお、出入口５ａ，５ｂの引戸を開け、かつ、トイレユニット１１の入口１１ａの引戸を開け、また、グルーミングユニット６の入口６ａを開けることにより、グルーミングユニットの入口６ａ，浴室の出入口５ａ，５ｂ，トイレユニットの入口１１ａを通過して寝室３から寝室４へ真っ直ぐひと続きに通じる通路および空間が形成されて、寝室３内で生活する例えば妻が、寝室４にいる夫の元へ早急に駆けつけて良好に介護できるように構成されている。
しかも、各入口５ａ，５ｂ，６ａ，１１ａの扉を開けっぱなしにしておくことにより、寝室３と寝室４がつながり、寝室３と寝室４がひと続きの居室のように広い空間を形成させることができ、しかも、浴室ユニット５，グルーミングユニット６，トイレユニット１１に、視線や騒音に対する遮蔽機能を持たせることができるものとなる。
【００１７】
なお、図３の平面図では、寝室４内で生活する、例えば夫が、介助リフトが必要になったような場合に、介助リフトを走行させるリフトレール２７を設けた配置構成図であり、このようにリフトレール２７のルートをシンプルに配置して、寝室４のベッドから、トイレユニット１１の便器２４および浴室ユニット５の浴槽１２へ良好に移動できるように介助リフトの設置ができるものである。
これらのプランは、例えば冬場に、暖房の効かない廊下を経由することによる温度変化が少なく、高齢者や心臓に疾患のある人の身体に負担の少ない特徴を有するものである。
【００１８】
なお、浴室ユニット５，グルーミングユニット６，トイレユニット１１は、その他、種々の形態のものが予め用意されており、自立度や身体麻痺など必要に応じてユニットを選択し、適当なものを設置して間取りを変更できるように設定されている。
すなわち、浴室ユニット５は、図４〜図８に平面拡大図で示すような構成のものが用意されている。
【００１９】
図４の浴室ユニット５は、前記図１で設置された構造のものであり、内部には、浴槽１２と、反対側に水栓１３と棚１４が設けられ、中央部に洗い場７が形成されて、この洗い場７の左右側に出入口５ａ，５ｂがそれぞれ開口されており、それぞれの出入口５ａ，５ｂには、内側へ開く開戸１５，１５が設けられた構造となっている。
【００２０】
また、図５に示す浴室ユニット５は、内部構造は図４の浴室ユニット５とほぼ同様であるが、小型であり、浴槽１２の背側に窓５ｃを設けたものである。
また、図６に示す浴室ユニット５は、内部構造は図４の浴室ユニット５とほぼ同様であるが、小型であり、浴槽１２の左右側にそれぞれ窓５ｃ，５ｃを設けて、窓にガラス戸を嵌め込んだものである。
【００２１】
さらに、図７に示す浴室ユニット５は、ホテルタイプのものであり、内部には、洋風式浴槽１２を設けて、反対側に２個の洗面器１６，１６を配置したものであり、浴槽１２とグルーミングスペース７を仕切るカーテン５ｄが設けられている。
このようなタイプでは、カーテン５ｄを閉じて入浴することにより、グルーミングスペース７を常に乾燥させた状態としておくことができ、出入口５ａ，５ｂからグルーミングスペース７内を通過する時に足が濡れることがなくなる。
【００２２】
また、図８に示す浴室ユニット５は、出入口５ａ，５ｂにそれぞれ大きく開く引戸を設けたものであり、引戸により出入口５ａ，５ｂが大きく開かれるため、車椅子で良好に通過できるように構成したものである。
【００２３】
次に、図９〜図１２はグルーミングユニットの種類を示すものであり、図９に示すものは、左右に入口６ａが形成されて、内部には洗濯機を置くスペース１７と棚１８が設けられたものである。
また、図１０に示すものは、左右に入口６ａが形成され、内部に洗面器１６が設けられ、さらに、洗面器１６と対面する位置にも入口６ａを設けたものである。
また、図１１に示すものは、左右に入口６ａが形成され、洗面器１６と対向する側に棚１８を設けたものである。
また、図１２に示すものは、左右に入口６ａを有し、棚１８と対向する側に、服を掛けることのできる収納部１９を設けたものである。
【００２４】
なお、トイレユニット１１は、その他にも、手洗い付きロータンクを有する便器２４や、カウンター，手すり付き等のタイプが用意されている。
このように、予め複数種類のユニットが用意されており、このようなユニットの中から選択したユニットを用いて、身体の障害や介護やライフスタイル等に合わせてリフォームすることができるものである。
【００２５】
なお、以上の実施例において、浴室やグルーミングルーム等を、工場で生産した床，壁，天井で組み立てる所謂ユニットルームで構成した例を説明したが、浴室やグルーミングルーム等を在来の建築工事で構成しても良いことは言うまでもない。
【図面の簡単な説明】
【００２６】
【図１】実施例の間取り構造を示す平面構成図である。
【図２】変更例を示す間取り構造の要部平面構成図である。
【図３】更に図２においてリフトレールを設けた要部平面構成図である。
【図４】浴室ユニットの一例を示す平面構成図である。
【図５】浴室ユニットの一例を示す平面構成図である。
【図６】浴室ユニットの一例を示す平面構成図である。
【図７】浴室ユニットの一例を示す平面構成図である。
【図８】浴室ユニットの一例を示す平面構成図である。
【図９】グルーミングユニットの一例を示す平面構成図である。
【図１０】グルーミングユニットの一例を示す平面構成図である。
【図１１】グルーミングユニットの一例を示す平面構成図である。
【図１２】グルーミングユニットの一例を示す平面構成図である。
【符号の説明】
【００２７】
１  玄関
２  廊下
３  寝室
３ａ  入口
４  寝室
４ａ  入口
５  浴室ユニット
５ａ，５ｂ  出入口
５ｃ  窓
５ｄ  カーテン
６  グルーミングユニット
６ａ  入口
７  洗い場
９  リビング
１０  キッチン
１１  トイレユニット
１１ａ  入口
１２  浴槽
１６  洗面器
１７  洗濯機設置スペース
１８  棚
１９  収納部
２４  便器
２５  手洗器
【図１】
2006083699.tif 000003
【図２】
2006083699.tif 000004
【図３】
2006083699.tif 000005
【図４】
2006083699.tif 000006
【図５】
2006083699.tif 000007
【図６】
2006083699.tif 000008
【図７】
2006083699.tif 000009
【図８】
2006083699.tif 000010
【図９】
2006083699.tif 000011
【図１０】
2006083699.tif 000012
【図１１】
2006083699.tif 000013
【図１２】
2006083699.tif 000014